(57)【要約】【課題】間引きや補間を行う回路を使用することなしに、単純な回路構成によって、複数の異なった信号方式の映像を同時に表示する映像表示装置を提供する。【解決手段】画面表示サイズ処理手段２５ａ、２５ｂは、画素数の変更、即ち、映像の拡大又は縮小を行う。画面分割処理手段２６は、全表示領域を垂直方向に２つに分割し、この２つに分割された領域それぞれの任意の位置に、映像信号１及び映像信号２を割り当てた映像を表す映像信号を出力する。走査ドライブ回路３３は、水平走査線毎に、走査電極のタイミングを制御し、映像信号を出力する。映像表示部４は、映像を表示するパネルである。【選択図】図１
2008083146.tif 000002
【特許請求の範囲】
【請求項１】
入力された信号方式の異なる映像信号で表される複数の映像を、全表示領域を垂直方向に複数に分割して構成される各小領域に表示することを特徴とする映像表示装置。
【請求項２】
入力された映像信号で表される映像の画素数を変更する画面表示サイズ処理手段と、
該画面表示サイズ処理手段で画素数が変更された映像が、全表示領域を複数に分割して構成される小領域の何れかに表示される映像信号を生成する画面分割処理手段と、
該画面分割処理手段で生成された映像信号を水平走査線毎に出力する走査ドライブ回路と、該走査ドライブ回路から出力された映像信号で表される映像を表示する映像表示部と
を有する映像表示装置であって、
前記小領域は、全表示領域を垂直方向に複数に分割して構成されることを特徴とする映像表示装置。
【請求項３】
前記画面表示サイズ処理手段は、縦横比を略維持して画素数を変更することを特徴とする請求項２に記載の映像表示装置。
【請求項４】
前記画面分割処理手段は、前記小領域に何も表示されないスペースが存在する場合、入力された映像信号で表される映像以外の映像を前記スペースに表示することを特徴とする請求項２又は３に記載の映像表示装置。
【請求項５】
前記画面分割処理手段は、前記小領域に何も表示されないスペースが存在する場合、入力された映像信号で表される映像を、前記スペースに移動させて表示することを特徴とする請求項２又は３に記載の映像表示装置。
【請求項６】
入力された映像信号で表される映像のうちの１つの映像を、該１つの映像以外の何れの入力された映像信号で表される映像よりも大きく表示する、
又は、入力された映像信号で表される映像のうちの１つの映像以外の全ての入力された映像信号で表される映像をハーフトーン表示することを特徴とする請求項１乃至５の何れか１項に記載の映像表示装置。
【発明の詳細な説明】
【技術分野】
【０００１】
本発明は、映像表示装置に関し、より詳しくは、ブラウン管、液晶、プラズマ等を使用した、テレビジョン受像機やモニタ等の映像表示装置に関する。
【背景技術】
【０００２】
現在、地域によって、ＮＴＳＣ、ＰＡＬ、ＳＥＣＡＭ等の異なった信号方式のテレビジョン放送が行われている。これに伴い、テレビジョン受像機、モニタ、録画再生装置等は、各信号方式に対応したものが使用されている。
【０００３】
所で、複数の信号方式の映像を、同時に視聴したいというニーズがある。例えば、ＮＴＳＣで録画した映像をＰＡＬにダビングする場合、再生側（ＮＴＳＣ）と録画側（ＰＡＬ）の両方の映像を同時に確認したいというニーズがある。また、ＰＡＬの衛星放送で２４時間ニュースを受信しながら、ＳＥＣＡＭの地上波でスポーツ中継を観戦したいというニーズもある。
【０００４】
このような場合、異なる信号方式毎に映像表示装置を購入し、それぞれに異なる信号方式の映像を表示するという方法が、先ず考えられる。しかし、このような方法では、複数の映像表示装置を購入する経費の問題や、設置場所の確保の問題があった。また、１つの画面のみを見る場合を規準に画面サイズを決定すると、複数の画面を見る際には、首や目を大きく動かす必要があり、複数画面の視聴によって疲労してしまうという問題があった。
【０００５】
このため、１台の映像表示装置で、異なった信号方式の映像を同時に表示する技術が望まれていた。特許文献１は、１台の映像表示装置において、複数の映像を水平方向に並べて表示する技術を開示している。特許文献２は、信号方式を変換する技術が開示されている。これらの技術を組み合わせることで、１台の映像表示装置で、異なった信号方式の映像を横に並べて同時に表示することが可能になる。
【０００６】
【特許文献１】特開平９−６２２３０号公報
【特許文献２】特開２００１−４５４４３号公報
【発明の開示】
【発明が解決しようとする課題】
【０００７】
所で、映像表示装置の画面は、水平走査線が複数本集まって構成されている（例えば、ＮＴＳＣでは５２５本）。従って、１つの画面の右側と左側とに、異なる水平走査線数の映像をそのまま表示することはできず、特許文献２に開示されているように、水平走査線の間引き、又は補間が必要となる。
【０００８】
特許文献１及び特許文献２による映像表示装置で、ＮＴＳＣの映像とＰＡＬの映像とを水平方向に並べて表示する場合を用いて、具体的に説明する。ＮＴＳＣの水平走査線は５２５本であり、ＰＡＬは６２５本である。また、ＮＴＳＣのフィールド・レートは約６０フィールド／秒であり、ＰＡＬは５０フィールド／秒である。
【０００９】
このため、１つ目の方法としては、ＰＡＬの映像から１００本の水平走査線を間引いて５２５本にし、更にＰＡＬの映像に１０フィールド／秒の映像を補間して、画面全体をＮＴＳＣで表示することが考えられる。また、２つ目の方法としては、ＮＴＳＣの映像に１００本の水平走査線を補間して６２６本にし、更にＮＴＳＣの映像から１０フィールド／秒の映像を間引いて、画面全体をＰＡＬで表示することが考えられる。
【００１０】
１つ目の方法の場合、水平走査線を間引く回路と、フィールドを補間する回路とが必要であり、また、２つ目の方法の場合、水平走査線を補間する回路と、フィールドを間引く回路が必要であり、コストが上昇するという問題があった。更に、間引きや補間を行う回路を使用した場合、動きの速い場面では、間引きや補間の画像処理が追いつかず、ノイズが多く発生することがあるという問題があった。このため、間引きや補間を行う回路を追加することなしに、異なった信号方式の映像を同時に表示する映像表示装置が望まれていた。
【００１１】
本発明は、上述の問題点に鑑みてなされたものであり、間引きや補間を行う回路を使用することなしに、単純な回路構成によって、複数の異なった信号方式の映像を同時に表示する映像表示装置を提供することを目的とする。
【課題を解決するための手段】
【００１２】
請求項１に記載の映像表示装置は、入力された信号方式の異なる映像信号で表される複数の映像を、全表示領域を垂直方向に複数に分割して構成される各小領域に表示することを特徴とする。
【００１３】
請求項１に記載の映像表示装置によれば、小領域毎に、信号方式が異なる映像を表示することができる。
【００１４】
請求項２に記載の映像表示装置は、入力された映像信号で表される映像の画素数を変更する画面表示サイズ処理手段と、該画面表示サイズ処理手段で画素数が変更された映像が、全表示領域を複数に分割して構成される小領域の何れかに表示される映像信号を生成する画面分割処理手段と、該画面分割処理手段で生成された映像信号を水平走査線毎に出力する走査ドライブ回路と、該走査ドライブ回路から出力された映像信号で表される映像を表示する映像表示部とを有する映像表示装置であって、前記小領域は、全表示領域を垂直方向に複数に分割して構成されることを特徴とする。
【００１５】
請求項２に記載の映像表示装置によれば、小領域は、全表示領域を垂直方向に複数に分割して構成されるため、画面の水平方向では信号方式が同一であり、また、走査ドライブ回路は水平走査線毎に出力可能であるため、水平走査線毎に任意の信号方式で映像を表示することができ、間引きや補間を行う回路を使用することなしに、小領域毎に信号方式が異なる映像を表示することができる。
【００１６】
請求項３に記載の映像表示装置は、請求項２において、前記画面表示サイズ処理手段は、縦横比を略維持して画素数を変更することを特徴とする。
【００１７】
請求項３に記載の映像表示装置によれば、入力された映像信号によって表される映像と同一の縦横比で、映像を表示することができる。
【００１８】
請求項４に記載の映像表示装置は、請求項２又は３において、前記画面分割処理手段は、前記小領域に何も表示されないスペースが存在する場合、入力された映像信号で表される映像以外の映像を前記スペースに表示することを特徴とする。
【００１９】
請求項４に記載の映像表示装置によれば、スペースを利用して、入力された映像信号で表される映像以外の映像を表示することができる。
【００２０】
請求項５に記載の映像表示装置は、請求項２又は３において、前記画面分割処理手段は、前記小領域に何も表示されないスペースが存在する場合、入力された映像信号で表される映像を、前記スペースに移動させて表示することを特徴とする。
【００２１】
請求項５に記載の映像表示装置によれば、映像をスペースに移動させることができる。
【００２２】
請求項６に記載の映像表示装置は、請求項１乃至５の何れか１項において、入力された映像信号で表される映像のうちの１つの映像を、該１つの映像以外の何れの入力された映像信号で表される映像よりも大きく表示する、又は、入力された映像信号で表される映像のうちの１つの映像以外の全ての入力された映像信号で表される映像をハーフトーン表示することを特徴とする。
【００２３】
請求項６に記載の映像表示装置によれば、任意の１つの映像を強調して表示することができる。
【発明の効果】
【００２４】
本発明によれば、小領域毎に、信号方式が異なる映像を表示することができるため、１台の映像表示装置で、異なった信号方式の映像を同時に表示することができる。更に、本発明によれば、間引きや補間を行う回路を使用することなしに、小領域毎に信号方式が異なる映像を表示することができるため、映像表示装置の低コスト化が図れるとともに、動きの速い場面でのノイズの発生を抑えることができる。
【００２５】
更に、本発明によれば、入力された映像信号によって表される映像と同一の縦横比で、映像を表示することができるため、複数の画面が表示されている場合であっても、ユーザに違和感を覚えさせることがない。更に、本発明によれば、スペースを利用して、入力された映像信号で表される映像以外の映像を表示することができるため、例えば、映像表示装置の操作メニューやテレテキスト（Ｔｅｌｅｔｅｘｔ：文字多重放送）等を表示することができる。
【００２６】
更に、本発明によれば、映像をスペースに移動させることができるため、ユーザが見やすい位置に映像を移動させることができる。更に、本発明によれば、任意の１つの映像を強調して表示することができるため、最も優先順位の高い映像を目立たせることができ、ユーザがこの映像を全表示領域の中から容易に発見できるようになるとともに、この映像に注目して視聴することが容易になる。
【発明を実施するための最良の形態】
【００２７】
本発明の実施の形態を、図面を参照して説明する。なお、以下の実施例は本発明の具体例に過ぎず、本発明が以下の実施形態に限定されるものではない。
【００２８】
図１及び図２は、本実施例の映像表示装置の構成を示すブロック図である。映像表示装置は、映像信号処理用集積回路２、映像信号制御手段３１、走査ドライブ回路制御手段３２、走査ドライブ回路３３、アドレス回路制御手段３４、映像表示部４を備える。更に、映像信号処理用集積回路２は、メイン画面入力部２１ａ、サブ画面入力部２１ｂ、放送判別手段２２ａ、２２ｂ、同期信号処理手段２３ａ、２３ｂ、映像信号処理手段２４ａ、２４ｂ、画面表示サイズ処理手段２５ａ、２５ｂ、画面分割処理手段２６を備える。
【００２９】
メイン画面入力部２１ａ及びサブ画面入力部２１ｂは、それぞれ、映像信号１及び映像信号２が入力されるためのインターフェースであり、入力された信号はＡ／Ｄ変換（アナログからデジタルへの変換）される。放送判別手段２２ａ、２２ｂは、信号方式（ＮＴＳＣ、ＰＡＬ、ＳＥＣＡＭ）を検出する。同期信号処理手段２３ａ、２３ｂは、同期信号の分離を行い、水平同期信号の周期、垂直同期信号の周期、及びパルス幅を計測したのち、Ｉ／Ｐ変換（飛び越し走査から順次走査への変換）を行う。
【００３０】
映像信号処理手段２４ａ、２４ｂは、コントラスト、ブライトネス、カラー、色合い、シャープネスの調整、及びコントラスト、ブライトネスの自動補正を行う。画面表示サイズ処理手段２５ａ、２５ｂは、画素数の変更、即ち、映像の拡大又は縮小を行う。画面分割処理手段２６は、全表示領域を垂直方向に２つに分割し、この２つに分割された領域（以下、小領域と呼ぶ）それぞれの任意の位置に、映像信号１及び映像信号２を割り当てた映像を表す映像信号を出力する。
【００３１】
映像信号制御手段３１は、水平信号と垂直信号のタイミングを制御する。走査ドライブ回路制御手段３２は、走査電極（図示せず）の高圧パルスの発生、及び維持電極（図示せず）のパルス電圧の発生を行う。走査ドライブ回路３３は、水平走査線毎に、走査電極（図示せず）のタイミングを制御し、映像信号を出力する。アドレス回路制御手段３４は、アドレス電極（図示せず）のタイミングを制御する。映像表示部４は、映像を表示するパネルである。
【００３２】
このように映像表示装置を構成すると、小領域は、全表示領域を垂直方向に分割して構成されるため、画面の水平方向では信号方式が同一であり、また、走査ドライブ回路は水平走査線毎に出力可能であるため、水平走査線毎に任意の信号方式で映像を表示することができ、間引きや補間を行う回路を使用することなしに、小領域毎に信号方式が異なる映像を表示することができる。
【００３３】
図３乃至７は、本発明の実施例の画面表示を示す図である。ここで、映像信号１で表される映像を表示したものを「メイン画像」と呼び、映像信号２で表される映像を表示したものを「サブ画像」と呼ぶ。なお、映像信号１と映像信号２の信号方式は、一般に異なる。また、このメイン画像とサブ画像の縦横比は、全表示領域の縦横比に等しい。
【００３４】
図３は、メイン画像とサブ画像とを、ともに、等しい大きさで中央に表示した場合の画面表示である。メイン画像用の画面表示サイズ処理手段２５ａは、画素数を縦方向及び横方向ともに５０％にし、サブ画像用の画面表示サイズ処理手段２５ｂは、画素数を縦方向及び横方向ともに５０％にする。画面分割処理手段２６は、全表示領域の下側５０％の領域の中央部をメイン画像に、上側５０％の領域の中央部をサブ画像に割り当てる。このようにすることで、映像信号１と映像信号２の信号方式が異なったとしても、これらの映像信号で表される映像を表示することができる。
【００３５】
図４は、メイン画像がサブ画像よりも目立つように、大きく表示した場合の画面表示である。メイン画像用の画面表示サイズ処理手段２５ａは、画素数を縦方向及び横方向ともに７５％にし、サブ画像用の画面表示サイズ処理手段２５ｂは、画素数を縦方向及び横方向ともに２５％にする。画面分割処理手段２６は、全表示領域の下側７５％の領域をメイン画像に、上側２５％の領域をサブ画像に、それぞれ割り当てる。このようにすることで、メイン画像を強調して表示することができる。
【００３６】
図５は、小領域の何も表示されないスペースに、テレテキスト及びメニューを表示した場合の画面表示である。メイン画像用の画面表示サイズ処理手段２５ａは、画素数を縦方向及び横方向ともに５０％にし、サブ画像用の画面表示サイズ処理手段２５ｂは、画素数を縦方向及び横方向ともに５０％にする。画面分割処理手段２６は、全表示領域の下側５０％の領域の左半分をメイン画像に、同右半分をテレテキスト表示に割り当て、上側５０％の領域の左半分をサブ画像に、同右半分をメニュー表示に割り当てる。このようにすることで、入力された映像信号で表される映像以外の映像をスペースに表示することができる。
【００３７】
図６は、小領域の何も表示されないスペースに、メイン画像とサブ画像を移動させた場合の画面表示である。メイン画像用の画面表示サイズ処理手段２５ａは、画素数を縦方向及び横方向ともに５０％にし、サブ画像用の画面表示サイズ処理手段２５ｂは、画素数を縦方向及び横方向ともに５０％にする。画面分割処理手段２６は、全表示領域の下側５０％の領域の左よりをメイン画像に、上側５０％の領域の右寄りをサブ画像に割り当てる。このようにすることで、映像をスペースに移動させることができる。
【００３８】
図７は、メイン画像が目立つように、サブ画像をハーフトーン表示した場合の画面表示である。サブ画像用の映像信号処理手段２４ｂは、ハーフトーン処理を行う。メイン画像用の画面表示サイズ処理手段２５ａは、画素数を縦方向及び横方向ともに５０％にし、サブ画像用の画面表示サイズ処理手段２５ｂは、画素数を縦方向及び横方向ともに５０％にする。画面分割処理手段２６は、全表示領域の下側５０％の領域の中央部をメイン画像に、上側５０％の領域の中央部をサブ画像に割り当てる。このようにすることで、メイン画像を強調して表示することができる。
【００３９】
以上述べたように、本発明では、間引きや補間を行う回路を使用することなしに、単純な回路構成によって、複数の異なった信号方式の映像を同時に表示する映像表示装置を提供するができる。
【００４０】
なお、上述の実施例では、２つの映像信号（映像信号１及び映像信号２）が入力され、全表示領域を垂直方向に２つに分割する場合について説明したが、３つ以上の映像信号が入力される場合や、全表示領域を垂直方向に３つ以上に分割する場合においても、本発明を適用できることは言うまでもない。
【００４１】
更に、上述の実施例において、各小領域の境界を黒いドットで表示するようにしても良い。このようにすることで、境界部における「ちらつき」を防止することができる。
【図面の簡単な説明】
【００４２】
【図１】本発明の実施例の構成を示すブロック図である。
【図２】本発明の実施例の処理を示すブロック図である。
【図３】本発明の実施例の画面表示を示す図である。
【図４】本発明の実施例の画面表示を示す図である。
【図５】本発明の実施例の画面表示を示す図である。
【図６】本発明の実施例の画面表示を示す図である。
【図７】本発明の実施例の画面表示を示す図である。
【符号の説明】
【００４３】
２  映像信号処理用集積回路
４  映像表示部
２１ａ  メイン画面入力部
２１ｂ  サブ画面入力部
２２ａ，２２ｂ  放送判別手段
２３ａ，２３ｂ  同期信号処理手段
２４ａ，２４ｂ  映像信号処理手段
２５ａ，２５ｂ  画面表示サイズ処理手段
２６  画面分割処理手段
３１  映像信号制御手段
３２  走査ドライブ回路制御手段
３３  走査ドライブ回路
３４  アドレス回路制御手段
【図１】
2008083146.tif 000003
【図２】
2008083146.tif 000004
【図３】
2008083146.tif 000005
【図４】
2008083146.tif 000006
【図５】
2008083146.tif 000007
【図６】
2008083146.tif 000008
【図７】
2008083146.tif 000009